(57)【要約】【課題】被設置対象がたとえ波板であっても、波板の損傷を回避し、安定した状態で設置することができる固定具の提供。【解決手段】この固定具２は、ベース固定板４と、このベース固定板４の上面に装着された、設置対象物と連結しうる連結部材とを備えており、上記ベース固定板４が、その下面に直線状に配置された脚部２０を有しており、この直線上の脚部２０が、互いに平行に複数列形成されており、上記ベース固定板４には、被設置対象に固定するための複数の第一固定用孔２８が形成されており、この複数の第一固定用孔２８が、上記脚部２０と平行に配列されている。【選択図】図２
2018135736.tif 000002
【特許請求の範囲】
【請求項１】
ベース固定板と、
このベース固定板の上面に装着された、設置対象物と連結しうる連結部材とを備えており、
上記ベース固定板が、その下面に直線状に配置された脚部を有しており、
この直線上の脚部が、互いに平行に複数列形成されており、
上記ベース固定板には、被設置対象に固定するための複数の第一固定用孔が形成されており、
この複数の第一固定用孔が、上記脚部と平行に配列されている、固定具。
【請求項２】
上記脚部が、上記ベース固定板の下面に突設され、且つ、矩形の平板状を呈しており、
上記複数の第一固定用孔が一直線状に配列されており、
この第一固定用孔の配列が、上記脚部同士の間に配置されており、
上記連結部材が、上記脚部同士の間に配置されている、請求項１に記載の固定具。
【請求項３】
上記連結部材が、先端が上方を向いた姿勢で上記ベース固定板の上面に装着されるボルトであり、
このボルトが、上記第一固定用孔の一直線状の配列の中に位置しており、
この第一固定用孔の配列の左右両側に、第一固定用孔の配列と平行に、被設置対象に固定するための複数の第二固定用孔が一直線状に配列されて形成されている、請求項２に記載の固定具。
【請求項４】
上記連結部材が、先端が上方を向いた姿勢で上記ベース固定板の上面に装着されるボルトであり、
上記ベース固定板に上記ボルトを着脱可能に保持するボルト保持部が配設されており、
このボルト保持部が、ボルトの頭部を収容する頭部収容部と、この頭部を保持する姿勢で上記頭部収容部に嵌着されうる蓋部材とを有している、請求項１から３のいずれかに記載の固定具。
【請求項５】
上記ベース固定板を上から覆う防雨カバーをさらに備えており、
この防雨カバーに、上記ベース固定板上に装着された連結部材が貫通しうる貫通孔が形成されており、
上記防雨カバーにおける、平面視で上記ベース固定板が対応する範囲より外方に、被設置対象に固定するための複数の第三固定用孔が形成されている、請求項１から４のいずれかに記載の固定具。
【請求項６】
上記被設置対象に波板が含まれており、
上記脚部の高さが、上記波板の谷深さ以上であり、
この脚部同士の間隔が、上記波板の波のピッチの整数倍である、請求項１から５のいずれかに記載の固定具。
【請求項７】
上記第一固定用孔の配列及び第二固定用孔の配列のいずれもが、上記脚部から、上記波板の波のピッチの１／２、又は、波板の波のピッチの整数倍プラス１／２ピッチだけ離間している、請求項４に記載の固定具。
【発明の詳細な説明】
【技術分野】
【０００１】
本発明は、太陽光発電パネル等の設置対象物を、建造物の屋根等の被設置対象に設置するために用いる固定具に関する。
【背景技術】
【０００２】
例えば、一般住宅の屋根に太陽光発電パネル等を設置する工事が知られている。この工事では、パネル設置用の架台を、スレート等の屋根材、野地板等にネジ止めすることが多い。パネルをトタン屋根に設置する場合には、トタン板の上面に金具等をネジ止めする必要が生じる。特開２０１３−２５６７７８号公報にも記載されているように、一般的には、金具等をトタン板に直接ネジ止めしている。
【０００３】
しかし、トタン板は十分な強度を備えていない。波板の場合も、それがトタン製であろうと合成樹脂製であろうと、同様に、十分な強度を備えていない。また、波板は、一般的に、波の山部の高さが小さいので、防水処理が困難である。以上の問題も有り、トタン板の屋根や波板の屋根に対しては、太陽光発電パネル等の設置の需要は少ない。
【先行技術文献】
【特許文献】
【０００４】
【特許文献１】特開２０１３−２５６７７８号公報
【発明の概要】
【発明が解決しようとする課題】
【０００５】
本発明は、前述した現状に鑑みてなされたものであり、パネル等の設置対象物がトタン屋根や波板屋根であっても、当該パネル等を安定した状態で固定することのできる固定具を提供することにある。
【課題を解決するための手段】
【０００６】
本発明に係る固定具は、
ベース固定板と、
このベース固定板の上面に装着された、設置対象物と連結しうる連結部材とを備えており、
上記ベース固定板が、その下面に直線状に配置された脚部を有しており、
この直線上の脚部が、互いに平行に複数列形成されており、
上記ベース固定板には、被設置対象に固定するための複数の第一固定用孔が形成されており、
この複数の第一固定用孔が、上記脚部と平行に配列されている。
【０００７】
好ましくは、上記脚部が、上記ベース固定板の下面に突設され、且つ、矩形の平板状を呈しており、
上記複数の第一固定用孔が一直線状に配列されており、
この第一固定用孔の配列が、上記脚部同士の間に配置されており、
上記連結部材が、上記脚部同士の間に配置されている。
【０００８】
好ましくは、上記連結部材が、先端が上方を向いた姿勢で上記ベース固定板の上面に装着されるボルトであり、
このボルトが、上記第一固定用孔の一直線状の配列の中に位置しており、
この第一固定用孔の配列の左右両側に、第一固定用孔の配列と平行に、被設置対象に固定するための複数の第二固定用孔が一直線状に配列されて形成されている。
【０００９】
好ましくは、上記連結部材が、先端が上方を向いた姿勢で上記ベース固定板の上面に装着されるボルトであり、
上記ベース固定板に上記ボルトを着脱可能に保持するボルト保持部が配設されており、
このボルト保持部が、ボルトの頭部を収容する頭部収容部と、この頭部を保持する姿勢で上記頭部収容部に嵌着されうる蓋部材とを有している。
【００１０】
好ましくは、上記ベース固定板を上から覆う防雨カバーをさらに備えており、
この防雨カバーに、上記ベース固定板上に装着された連結部材が貫通しうる貫通孔が形成されており、
上記防雨カバーにおける、平面視で上記ベース固定板が対応する範囲より外方に、被設置対象に固定するための複数の第三固定用孔が形成されている。
【００１１】
好ましくは、上記被設置対象に波板が含まれており、
上記脚部の高さが、上記波板の谷深さ以上であり、
この脚部同士の間隔が、上記波板の波のピッチの整数倍である。
【００１２】
好ましくは、上記第一固定用孔の配列及び第二固定用孔の配列のいずれもが、上記脚部から、上記波板の波のピッチの１／２、又は、波板の波のピッチの整数倍プラス１／２ピッチだけ離間している。
【発明の効果】
【００１３】
本発明に係る固定具によれば、簡単な形状構造でありながら、容易且つ強固に設置対象物を被設置対象に設置することができる。
【図面の簡単な説明】
【００１４】
【図１】図１は、本発明に係る固定具の一実施形態が、波板製の屋根に取り付けられた状態を示す斜視図である。
【図２】図２は、図１の固定具の一部を構成するベース固定板の組み立て前斜視図である。
【図３】図３（ａ）は、図１の固定具の組み立て途中の状態を示す正面図であり、図３（ｂ）は、組み立てられた状態の上記固定具を示す正面図である。
【図４】図４（ａ）は、図１の固定具を図１における屋根の棟側から軒に向かって見た、すなわち図１におけるＩＶ−ＩＶ線に沿って見た部分斜視図であり、図４（ｂ）は、図４（ａ）における棟側のカバー部材の一例を示す斜視図である。
【図５】図５は、図４におけるＶ−Ｖ線に沿って見た部分断面図である。
【発明を実施するための形態】
【００１５】
以下、適宜図面が参照されつつ、好ましい実施形態に基づいて本発明が詳細に説明される。
【００１６】
図１には、一般的な木造建築物の屋根１０２が概略的に示されている。この屋根１０２では、複数本の垂木１０４が、互いに間隔を置いて、棟１０６から軒１０８まで下方に傾斜して組み込まれている。この垂木１０４の上面に、いわゆるコンパネ（コンクリートパネル）、バラ板１１０等が設置される。このバラ板１１０等の上面には、波板１１２が貼り付けられている。波板１１２の素材としては、トタン、合成樹脂板等が採用されうる。
【００１７】
図１に示されるように、上記屋根１０２の波板１１２の上面には、固定具２が取り付けられている。この固定具２は、屋根１０２に太陽光発電パネル等を設置するために用いられうる。もちろん、この固定具２は、パネル等の設置対象物を、屋根ではなく、側壁や天井裏等にも設置することもできる。この固定具２は、従来はパネル等の固定が容易ではない薄い波板１１２に装着するのに適している。
【００１８】
本実施形態の固定具２は、ベース固定板４と、防雨カバー６と、棟側カバー８と、連結部材１２とを備えている。この防雨カバー６及び棟側カバー８を設置する目的は、主に、ベース固定板４を固定するためのビス用孔から下方への雨水の浸入を防止することである。さらに、ベース固定板４自体を雨水から防御する作用をも奏する。図１では、ベース固定板４の大部分が、防雨カバー６及び棟側カバー８の下方に隠れている。後述するが、本実施形態では、１個の防雨カバー６により、直列配置された２個（図示せず）のベース固定板４が覆われている。
【００１９】
図２及び図３には、ベース固定板４が示されている。図中のＸ方向が左右方向（幅方向）、Ｙ方向が上下方向、Ｚ方向が長手方向（軸方向）である。上記連結部材１２は、パネル等をベース固定板４に連結するものである。本実施形態では、連結部材として六角頭付きボルト１２が採用されている。ベース固定板４は、本体１０と、ボルト１２を保持するボルト保持部１４とを備えている。ボルト保持部１４は、本体１０と一体となった頭部収容部１６と、本体１０とは別体の蓋部材１８とを有している。以下、本体１０とは、頭部収容部１６を含んだ部材として扱う。頭部収容部１６は、ボルト１２の頭部１２ａを収容し、蓋部材１８は、頭部収容部１６を閉止してボルト１２を保持する（図３参照）。
【００２０】
本体１０は、屈曲された板状を呈している。長方形板の左右両辺が、共に平行且つ同一方向に９０°屈曲されている。左右の屈曲された部分が脚部２０を構成している。この複数個の脚部２０同士の間隔が、波板１１２の谷（山）のピッチの整数倍にされているのが好ましい。ピッチとは、隣接する谷底（山頂）同士の間隔である。さらに、脚部２０の高さ（上下方向の幅）は、被設置対象としての波板１１２の谷深さ（山高さ）より僅かに大きくされているのが好ましい。以上の構成により、固定具２を波板１１２に設置する際、全脚部２０を波板１１２の谷に一致させることができる。さらに、脚部２０の下端が波板１１２の谷底に当接し、設置による荷重がバラ板１１０等に直接支持される。以上により、低強度の波板１１２には、設置による荷重が殆ど負荷されない。なお、脚部２０は、互いに平行な２本には限定されず、３本以上形成されてもよい。
【００２１】
本体１０は、その幅方向の中央部分が、上方に向けて横断面コ字状に屈曲されている。屈曲角度は９０°である。この横断面コ字状の部分が上記頭部収容部１６を構成している。この頭部収容部１６を上方から見れば、長い直方体状を呈している。この頭部収容部１６の軸方向は、上記脚部２０の長手方向に平行である。一方、蓋部材１８も、その横断面がコ字状を呈し、外観が長い直方体状と言える。
【００２２】
本体１０及び蓋部材１８はいずれも、その中心軸に関して左右対称の形状を呈している。屈曲されて形成された脚部２０と頭部収容部１６との間、すなわち、頭部収容部１６の左右両側には、同一平面形状（長方形状）の平板部２２、２４が形成されている。この左右の平板部２２、２４は、互いに同一平面内に位置している。かかる構成により、固定具２を波板１１２の屋根１０２に設置したとき、平板部２２、２４の面は、屋根の面と略平行になる。脚部２０の存在により、平板部２２、２４の下面は、波板１１２の山頂に強力には当接しない。また、頭部収容部１６は波板１１２の山より上方に位置することになる。
【００２３】
頭部収容部１６の上面には、ボルト用貫通孔２６が形成されている。このボルト用貫通孔２６は、ボルト保持部１４によって保持されたボルト１２を上方に突出させるための貫通孔である。本実施形態では、このボルト用貫通孔２６は、本体１０の中央位置に形成されているが、かかる構成には限定されない。また、ボルト用貫通孔２６の個数は１個には限定されず、複数個であってもよい。複数個の場合、全ボルト用貫通孔２６が頭部収容部１６の長手方向に一直線状に配列されているのが好ましい。その理由は後述する。
【００２４】
図３に示されるように、蓋部材１８は、その開口１８ａ側から、頭部収容部１６の下端の開口１６ａへ挿入され、収容される。その結果、図３（ｂ）に示されるように、頭部収容部１６と蓋部材１８とに囲まれた直方体上の空間が形成される。この空間内に、ボルト１２の頭部１２ａが収容されて、保持される。このために、まず、ボルト１２をその先端から、ボルト用貫通孔２６にその下方から挿通させる。そして、頭部１２ａが頭部収容部１６内に収まったら、蓋部材１８を頭部収容部１６に嵌着する。そして、ボルト１２にナット３０（図５参照）を螺着すれば、ボルト１２は頭部収容部１６に固定される。波板１１２の波の山には、おおよそ蓋部材１８の重量だけが付加される。
【００２５】
なお、ベース固定板４の構成は、図示のものには限定されない。例えば、ボルト保持部１４を有さず、横断面がコ字状のベース固定板であってもよい。この場合、ベース固定板の上面には、例えば、寸切りボルト（総ネジボルト）が溶接によって突設される。しかし、前述した本実施形態におけるベース固定板４が好ましい。上記構成を有するボルト保持部１４によれば、材質の異なるボルト、径の異なるボルト、長さの異なるボルト等を、自由に選定し、取り替えることができるからである。この本体１０及び蓋部材１８の材質としては、強度の観点から金属が好ましい。
【００２６】
図２に示されるように、頭部収容部１６の上面及び蓋部材１８の下面それぞれには、複数の第一固定用孔２８が形成されている。この第一固定用孔２８は、ベース固定板４を被設置対象に固定するためのビス、釘、ボルト等が挿通される孔（ビス用孔ともいう）である。頭部収容部１６の第一固定用孔２８と、蓋部材１８の第一固定用孔２８とは、蓋部材１８が頭部収容部１６に嵌着されたとき、上下方向に対応する位置に形成されている。従って、１本のビス３２が、頭部収容部１６及び蓋部材１８の対応する第一固定用孔２８に挿通され、バラ板１１０及び垂木１０４に螺着されるうる（図５参照）。
【００２７】
この複数の第一固定用孔２８は、上記脚部２０と平行に、一直線状に配置されるのが好ましい。加えて、この第一固定用孔２８の一直線状の配列は、脚部２０から、波板１１２の波のピッチの１／２、又は、波板１１２の波のピッチの整数倍プラス１／２ピッチ（例えば、１．５ピッチ、２．５ピッチ、３．５ピッチ等）だけ離間しているのが好ましい。第一固定用孔２８の配列が、波板１１２の山と一致しうるからである。その結果、ビス３２によって波板１１２に形成される孔は、波板１１２の山の頂上に沿うことになる（図５参照）。この構成によれば、孔から下方への水漏れが抑制される。
【００２８】
さらに、図２に示されるように、第一固定用孔２８の直線配列上に、前述したボルト用貫通孔２６が形成されているのが好ましい。この構成のベース固定板４を波板１１２の屋根１０２に設置する際、この第一固定用孔２８の直線配列が、できるだけ平面視で垂木１０４の中心軸に近接させることができるからである。この配置により、ベース固定板４の中央部分に位置するビス３２が、高強度の垂木１０４にねじ込まれる。ボルト１２を介して付加される設置対象物であるパネル等の重量が、効率よく垂木１０４に支持されうる。
【００２９】
図２に示されるように、左右の平板部２２  、２４それぞれに、複数のビス用孔（第二固定用孔）３４が形成されている。第二固定用孔３４も、前述した第一固定用孔２８と同様、脚部２０と平行に、一直線状に配置されるのが好ましい。加えて、この第二固定用孔３４の一直線状の配列も、脚部２０から、波板１１２の波のピッチの１／２、又は、波板１１２の波のピッチの整数倍プラス１／２ピッチ（例えば、１．５ピッチ、２．５ピッチ、３．５ピッチ等）だけ離間しているのが好ましい。これにより、第二固定用孔３４の配列が、波板１１２の山と一致しうる。その結果、ビス３６によって波板１１２に形成される孔は、波板１１２の山の頂上に沿うことになる（図５参照）。これにより、ビス用孔３４から下方への水漏れが抑制される。ここで用いられるビス３６は、バラ板１１０にねじ込まれるので（図５参照）、前述のビス３２より短くてよい。
【００３０】
ベース固定板４の軸方向長さ及び幅寸法は、特に限定されない。長さは、図１における屋根１０２の棟１０６から軒１０８までの長さと略同一でもよく、それより短くてもよい。一台のパネルを設置するために、通常は複数個の短いベース固定板４が用いられるが、複数本のボルト保持部１４及び複数個の連結部材１２を備えた１個の固定板が用いられてもよい。
【００３１】
図１及び図４には、ベース固定板４を覆うように装着された防雨カバー６と棟側カバー８とが示されている。防雨カバー６は、屋根１０２に設置されたベース固定板４の全体を、上から覆うための部材である。図示されていないが、前述したとおり、本実施形態では１個の防雨カバー６が、直列配置の２個のベース固定板４を覆っている。もちろん、１個の防雨カバー６に覆われるベース固定板４は、１個でもよく３個以上でもよい。棟側カバー８は、傾斜した姿勢で設置されているベース固定板４の上端部（屋根１０２の棟側の端部）を覆うための部材である。防雨カバー６及び棟側カバー８は、トタン等の金属板製でもよく、塩化ビニール、繊維強化プラスチック（ＦＲＰ）、ウレタン等の合成樹脂板等から形成されてもよい。
【００３２】
図４（ａ）及び図５に示されるように、防雨カバー６は、その横断面形状が上方凸の三角形状の三角屋根部３８と、三角屋根部３８の左右の外側辺に沿って連続して形成された左右の平屋根部４０と、各平屋根部４０の外側辺に沿って連続して形成された左右の裾部４２とを備えている。左右の平屋根部４０は、互いに同一平面内に位置している。左右の裾部４２は、平屋根部４０の外側辺から下方に傾斜して屈曲させられている。防雨カバー６全体、三角屋根部３８、平屋根部４０及び裾部４２はいずれも、平面視で、互いに平行な長方形状を呈している。三角屋根部３８は上記ベース固定板４を覆う部分である。平屋根部４０及び裾部４２は、ベース固定板４の左右両側辺の外方の、波板１１２の１本の山を、上方及び外側方から覆うためのものである。また、平屋根部４０は、波板１１２の山を通して、バラ板１１０にビス止めされる部位である。
【００３３】
三角屋根部３８の頂上部には、ボルト用貫通孔４３が形成されている（図５参照）。このボルト用貫通孔４３は、前述のボルト１２及びナット３０を上方に突出させるための貫通孔である。このボルト用貫通孔４３の個数及び配置は、ベース固定板４の頭部収容部１６に形成されたボルト用貫通孔２６に対応している。本実施形態では、１個の防雨カバー６が２個のベース固定板４を覆っている。このベース固定板４には１本のボルト１２が装着される。従って、この防雨カバー６には、頂上部に沿って２個のボルト用貫通孔４３が形成されている。一般的に、太陽光発電パネル等は、矩形の４頂点に配置された合計４本のボルトによって固定される。かかる目的のためには、図１に示されるような、固定具２の配置が好ましい。もちろん、防雨カバー６のボルト用貫通孔４３の個数や配置は、ベース固定板４の構造や配置に応じて定まる。左右の平屋根部４０それぞれに、その長手方向に沿って一直線状に、複数のビス４６用の孔（第三固定用孔）４４が形成されている。三角屋根部３８の幅は、上記ベース固定板４の幅より大きくされるのが好ましい。左右の第三固定用孔４４の配列の間隔は、波板１１２の波のピッチの整数倍にされるのが好ましい。これにより、第三固定用孔４４の配列が、波板１１２の山と一致する。その結果、ビス４６によって波板１１２に形成される孔は、波板１１２の山の頂上に沿うことになる（図５参照）。これにより、ビス用孔４４から下方への水漏れが抑制される。
【００３４】
図４（ｂ）には、棟側カバー８が示されている。棟側カバー８は、その横断面形状が上方凸の三角形状の三角屋根部４８と、三角屋根部４８の軸方向の一端部を閉止する三角形状の端壁部５０と、この端壁部５０の下端縁から軸方向外方に延びる底板部５２とを備えている。端壁部５０の形状は、三角屋根部４８の横断面形状と同一の三角形である。底板部５２は長方形状を呈し、その幅は三角屋根部４８の幅と同一である。図４（ａ）に示されるように、この棟側カバー８は、その底板部５２が棟１０６の下側に挿入されることにより、屋根１０２に装着される。棟側カバー８が装着された後で、防雨カバー６の棟側の端部が棟側カバー８の三角屋根部４８の下に挿入される。そして、防雨カバー６が屋根１０２にビス止めされる。
【００３５】
図１及び図４（ａ）では、ベース固定板４が長く、屋根１０２の棟１０６から軒１０８まで延びている。たとえ、ベース固定板４の長さが短くて、その端部が棟１０６まで届いていなくても、防雨カバー６は、その端部が棟１０６まで届く長いものを用いるのが、防水効果向上の観点から好ましい。
【００３６】
図５を参照しつつ、この固定具２の波板屋根１０２への設置手順を簡単に説明する。前述したごとく、脚部２０同士の間隔が、被設置対象である屋根１０２の波板１１２の谷（山）のピッチの整数倍にされたベース固定板４を用意する。ベース固定板４は、その幅方向中央部が、できるだけ屋根１０２の垂木１０４の中心軸に近くなるような位置に設置することとする。必要に応じ、ベース固定板４の裏面には、ブチルゴム等を貼着する等、防水処理を施すのが好ましい。前述したように、ベース固定板４の平板部２２、２４には、被設置対象である波板１１２の山の略頂上に対応するように第一及び第二の固定用孔２８、３４が形成されている。ベース固定板４の頭部収容部１６には、ボルト用貫通孔２６も形成されている。ボルト用貫通孔２６は、ベース固定板４を屋根に設置したとき、垂木１０４の中心軸に近い位置に形成されている。
【００３７】
予め、固定具２の設置予定位置に対応する棟１０６に、棟側カバー８を仮止めしておく。ボルト１２を、ベース固定板４のボルト用貫通孔２６に、その下方から挿通させる。蓋部材１８を頭部収容部１６に嵌着する。ボルト１２に、ワッシャー５６及びスプリングワッシャー５８を嵌合する。必要に応じて、予め、図示しない防水用パッキンをボルト１２に嵌合しておく。ついで、ナット３０をボルト１２に螺着して、ボルト１２をボルト保持部１４に固定する。このベース固定板４を、屋根１０２の波板１１２上に仮置きする。このとき、ボルト保持部１４の幅方向中央が、垂木１０４の中心軸に近くなる位置を選択する。この位置には、予め、棟側カバー８が仮止めされている。第一及び第二の固定用孔２８、３４を通して、ビス３２、３６をバラ板１１０及び垂木１０４にねじ込む。ベース固定板４が屋根１０２に固定される。このとき、ビス３２、３６は、波板１１２の山部を貫通する。必要に応じて、固定用孔２８、３４にはシリコーンコーキングを施してもよい。また、公知のパッキン付きビスを用いてもよい。
【００３８】
防雨カバー６を、ベース固定板４の上に載置する。このとき、ボルト用貫通孔４３にボルト１２を挿通させ、且つ、防雨カバー６の上端を棟側カバー８の下に挿入する。ついで、第三固定用孔４４を通して、ビス４６をバラ板１１０までねじ込む。防雨カバー６が、ベース固定板４を覆った状態で屋根１０２に固定される。必要に応じて、第三固定用孔４４にはシリコーンコーキングを施してもよい。このとき、ビス４６は、波板１１２の山部を貫通する。最後に、切頭円錐筒状（いわばラッパ状）のパッキン５４を、ボルト１２に嵌合してボルト用貫通孔４３を閉止することにより、防水処置を施す。
【００３９】
以上の説明では、固定具２の被設置対象として、波板１１２の屋根１０２を例示した。この固定具２の適用は、特定の波ピッチの波板に限定されることはない。さらに、この固定具２の使用対象は、波板にも限定されない。例えば、平板の屋根であっても側壁等であってもよい。また、屋根の垂木等が金属製であっても、使用する固定用ネジを金属用にすれば対応可能である。
【００４０】
また、本実施形態では、連結部材としてボルトが採用されている。しかし、ボルトには限定されない。公知の各種連結部材が採用されうる。
【産業上の利用可能性】
【００４１】
本発明に係る固定具は、屋根の上に太陽光発電パネル等を設置する場合を含み、構造物に種々の部材を取り付ける場合に有用である。
【符号の説明】
【００４２】
２・・・固定具
４・・・ベース固定板
６・・・防雨カバー
８・・・棟側カバー
１０・・・（ベース固定板の）本体
１２・・・ボルト
１４・・・ボルト保持部
１６・・・頭部収容部
１８・・・蓋部材
２０・・・脚部
２２、２４・・・平板部
２６、４３・・・ボルト用貫通孔
２８・・・第一固定用孔
３０・・・ナット
３２、３６、４６・・・ビス
３４・・・第二固定用孔
３８、４８・・・三角屋根部
４０・・・平屋根部
４２・・・裾部
４４・・・第三固定用孔
５０・・・端壁部
５２・・・底板部
５４・・・ゴムパッキン
５６・・・ワッシャー
５８・・・スプリングワッシャー
１０２・・・屋根
１０４・・・垂木
１０６・・・棟
１０８・・・軒
１１０・・・バラ板
１１２・・・波板
【図１】
2018135736.tif 000003
【図２】
2018135736.tif 000004
【図３】
2018135736.tif 000005
【図４】
2018135736.tif 000006
【図５】
2018135736.tif 000007